(57)【要約】【課題】媒体の温度に誤差が生じることを抑制できる媒体加熱装置及び液体吐出装置を提供すること。【解決手段】媒体加熱装置３１は、搬送される媒体９９を支持する支持部と、支持部３２に支持された媒体９９を加熱する加熱部と、支持部３２の温度を検出する検出器３５と、を備え、支持部は、支持面としての第１表面を有する板金３６を含み、板金３６の端部は、第１表面とは反対側に向けて曲がり、板金３６は、固定部３６Ｆと、幅方向において当該固定部３６Ｆの隣の固定部３６Ｆと、により固定され、幅方向において、相互に隣り合う固定部３６Ｆの間に検出器３５の検出位置が設定される。【選択図】図３
2020121499.tif 000002
【特許請求の範囲】
【請求項１】
支持面を有し、搬送される媒体を支持する支持部と、
前記支持部に支持された前記媒体を加熱する加熱部と、
前記支持部の温度を検出する検出器と、
前記検出器により検出される温度に基づき、前記加熱部の出力を制御する制御部と、を備え、
前記支持部は、前記支持面としての第１表面を有する板金を含み、
前記板金の端部は、前記第１表面とは反対側に向けて曲がり、
前記板金は、第１固定部と、幅方向において前記第１固定部の隣の第２固定部と、により固定され、
前記幅方向において、前記第１固定部と前記第２固定部との間に前記検出器の検出位置が設定されることを特徴とする媒体加熱装置。
【請求項２】
前記媒体は、液体を吐出された媒体であることを特徴とする請求項１に記載の媒体加熱装置。
【請求項３】
前記幅方向において、前記検出器の検出位置は、前記第１固定部及び前記第２固定部のいずれよりも、前記幅方向における前記第１固定部と前記第２固定部との中点に近い位置に設定されることを特徴とする請求項１又は２に記載の媒体加熱装置。
【請求項４】
前記媒体の搬送方向において、前記第１固定部と前記第２固定部とは同じ位置にあり、
前記板金は、前記搬送方向において前記第１固定部の隣にある第３固定部により固定され、
前記搬送方向において、前記第１固定部と前記第３固定部との間に前記検出器の検出位置が設定されることを特徴とする請求項１から３のうち何れか一項に記載の媒体加熱装置。
【請求項５】
前記搬送方向において、前記検出器の検出位置は、前記第１固定部及び前記第３固定部のいずれよりも、前記搬送方向における前記第１固定部と前記第３固定部との中点に近い位置に設定されることを特徴とする請求項４に記載の媒体加熱装置。
【請求項６】
支持面を有し、媒体を支持する支持部と、
前記支持部に支持された前記媒体を加熱する加熱部と、
前記支持部の温度を検出する検出器と、
前記検出器により検出される温度に基づき、前記加熱部の出力を制御する制御部と、を備え、
前記支持部は、前記支持面としての第１表面を有する板金を含み、
前記板金は、第１固定部に固定され、
前記検出器は、前記板金のうち、前記第１固定部に固定される部分より、前記支持部に支持される前記媒体側に突出する部分の温度を検出することを特徴とする媒体加熱装置。
【請求項７】
支持面を有し、搬送される媒体を支持する支持部と、
前記支持部に支持された前記媒体を加熱する加熱部と、
前記支持部の温度を検出する検出器と、
前記検出器により検出される温度に基づき、前記加熱部の出力を制御する制御部と、を備え、
前記支持部は、前記支持面としての第１表面を有する板金を含み、
前記板金の端部は、前記第１表面とは反対側に向けて曲がり、
前記板金は、第１固定部と、幅方向において前記第１固定部の隣の第２固定部と、により固定され、
前記幅方向において、前記第１固定部と前記第２固定部との間に前記検出器の検出位置が設定されることを特徴とする液体吐出装置。
【発明の詳細な説明】
【技術分野】
【０００１】
本発明は、媒体加熱装置及び液体吐出装置に関する。
【背景技術】
【０００２】
特許文献１には、搬送される媒体を支持面で支持する支持部と、搬送方向と交差する方向に並ぶ第１加熱部と、隣り合う第１加熱部の間に位置して搬送方向に延在する第２加熱部と、支持部の温度を検出する検出器と、を備える媒体加熱装置が記載されている。
【先行技術文献】
【特許文献】
【０００３】
【特許文献１】特開２０１３−２２７５０号公報
【発明の概要】
【発明が解決しようとする課題】
【０００４】
こうした媒体加熱装置では、適切な温度で媒体を加熱するために、検出器が検出した温度に基づいてヒーターの駆動が制御される。一方で、熱膨張により変形を生じた支持部は、支持面の一部分と媒体との間に隙間を形成し、支持面と媒体との間の距離にばらつきを生じさせる。結果として、検出器が検出する温度に誤差を生じてしまい、媒体の温度が上がりすぎること、あるいは、媒体の温度が下がりすぎることを招くおそれがある。
【課題を解決するための手段】
【０００５】
上記課題を解決する媒体加熱装置は、支持面を有し、搬送される媒体を支持する支持部と、前記支持部に支持された前記媒体を加熱する加熱部と、前記支持部の温度を検出する検出器と、前記検出器により検出される温度に基づき、前記加熱部の出力を制御する制御部と、を備え、前記支持部は、前記支持面としての第１表面を有する板金を含み、前記板金の端部は、前記第１表面とは反対側に向けて曲がり、前記板金は、第１固定部と、幅方向において前記第１固定部の隣の第２固定部と、により固定され、前記幅方向において、前記第１固定部と前記第２固定部との間に前記検出器の検出位置が設定される。
【０００６】
上記課題を解決する液体吐出装置は、支持面を有し、搬送される媒体を支持する支持部と、前記支持部に支持された前記媒体を加熱する加熱部と、前記支持部の温度を検出する検出器と、前記検出器により検出される温度に基づき、前記加熱部の出力を制御する制御部と、を備え、前記支持部は、前記支持面としての第１表面を有する板金を含み、前記板金の端部は、前記第１表面とは反対側に向けて曲がり、前記板金は、第１固定部と、幅方向において前記第１固定部の隣の第２固定部と、により固定され、前記幅方向において、前記第１固定部と前記第２固定部との間に前記検出器の検出位置が設定される。
【図面の簡単な説明】
【０００７】
【図１】媒体加熱装置を備える液体吐出装置の一実施形態を模式的に示す側面図。
【図２】媒体加熱装置が備える温度の制御系を機能的に示すブロック図。
【図３】媒体加熱装置が備える板金の構造を示す斜視図。
【図４】図１のＩＶ−ＩＶ線断面図。
【図５】図１のＶ−Ｖ線断面図。
【発明を実施するための形態】
【０００８】
以下、媒体加熱装置を備える液体吐出装置の一実施形態について図を参照しながら説明する。液体吐出装置は、例えば、用紙等の媒体に液体の一例であるインクを吐出することによって、文字、写真等の画像を記録するインクジェット式のプリンターである。
【０００９】
図１に示すように、液体吐出装置１１は、搬送される媒体９９に液体を吐出する吐出部２８を備える。液体吐出装置１１は、搬送される媒体９９を加熱する媒体加熱装置３１を備える。本実施形態の媒体加熱装置３１は、吐出部２８により液体を吐出された媒体９９を乾燥させる。
【００１０】
液体吐出装置１１は、筐体１２を備える。液体吐出装置１１は、筐体１２を支持する基台１３を備える。本実施形態においては、基台１３の上方に筐体１２が位置する。
液体吐出装置１１は、媒体９９を搬送する搬送部１４を備える。搬送部１４は、筐体１２内に設けられる。本実施形態の搬送部１４は、筐体１２外に載置された媒体９９を搬送する。
【００１１】
液体吐出装置１１は、媒体９９が巻き重ねられたロール体１００を載置可能な載置部１６を備えてもよい。載置部１６は、例えば基台１３に取り付けられる。載置部１６は、液体が吐出される前の媒体９９が巻き重ねられたロール体１００を回転可能な状態で支持する。搬送部１４が駆動すると、ロール体１００から媒体９９が繰り出される。
【００１２】
なお、液体吐出装置１１は、液体吐出装置１１が設置される設置面に載置されたロール体１００から繰り出される媒体９９に液体を吐出するように構成されてもよい。また、液体吐出装置１１は、液体吐出装置１１とは別の装置から繰り出される媒体９９に液体を吐出するように構成されてもよい。液体吐出装置１１は、ロール体１００から繰り出される媒体９９に液体を吐出する構成に限らない。例えば、液体吐出装置１１は、ファンホールド紙のような長尺の媒体９９に液体を吐出する構成であってもよいし、媒体９９としての単票紙に液体を吐出する構成であってもよい。
【００１３】
液体吐出装置１１は、媒体９９を巻き取る巻取部１７を備えてもよい。巻取部１７は、例えば基台１３に取り付けられる。巻取部１７は、液体を吐出された媒体９９をロール体１００として巻き取る。なお、液体吐出装置１１は、液体を吐出された媒体９９を液体吐出装置１１とは別の装置に搬送する構成であってもよい。液体吐出装置１１は、液体を吐出された媒体９９を液体吐出装置１１とは別の装置に巻き取らせる構成であってもよい。
【００１４】
液体吐出装置１１は、媒体９９にテンションを付与するテンションバー１８を備えてもよい。巻取部１７における媒体９９の送り量と、搬送部１４における媒体９９の送り量との差により、巻取部１７と搬送部１４との間の媒体９９の長さは変わる。テンションバー１８は、巻取部１７と搬送部１４との間の媒体９９の長さに応じて変位する。このように、媒体９９に接触するテンションバー１８が変位することによって媒体９９に適切なテンションが付与される。テンションバー１８が媒体９９にテンションを付与することにより、媒体９９に対して精度よく液体を着弾させることができる。本実施形態のテンションバー１８は、媒体９９のうち媒体加熱装置３１を通り過ぎた部分に接触する。
【００１５】
テンションバー１８は、例えば基台１３に取り付けられる。テンションバー１８は、基台１３に対して変位可能に取り付けられてもよい。こうすると、テンションバー１８を変位させることによって、媒体９９に付与するテンションの大きさを調節できる。
【００１６】
本実施形態の液体吐出装置１１は、第１支持台２１及び第２支持台２２を備える。第１支持台２１及び第２支持台２２は、搬送部１４によって搬送される媒体９９を支持する。第１支持台２１及び第２支持台２２は、媒体９９の搬送される方向に、第１支持台２１、第２支持台２２の順に位置する。第２支持台２２は、筐体１２内に位置する。
【００１７】
吐出部２８は、筐体１２内に位置する。本実施形態の吐出部２８は、第２支持台２２と対向している。吐出部２８は、第２支持台２２に支持されて吐出部２８と対向している媒体９９の第１面に液体を吐出する。
【００１８】
本実施形態の液体吐出装置１１は、吐出部２８を搭載するキャリッジ２９を備える。キャリッジ２９は、搬送される媒体９９に対して走査する。すなわち、本実施形態の液体吐出装置１１は、吐出部２８が媒体９９に対して走査するシリアルプリンターである。液体吐出装置１１は、吐出部２８が長尺に設けられるラインプリンターでもよい。
【００１９】
本実施形態の搬送部１４は、第１ローラー２５及び第２ローラー２６を備える。第１ローラー２５及び第２ローラー２６は、媒体９９を挟み込む状態で回転することにより媒体９９を搬送する。第１ローラー２５及び第２ローラー２６は、第１支持台２１と第２支持台２２との間で媒体９９を挟み込む。
【００２０】
次に、媒体加熱装置３１について説明する。
媒体加熱装置３１は、媒体９９を支持する支持部３２と、支持部３２に対向する第１ヒーター３３と、支持部３２に取り付けられる第２ヒーター３４とを備える。第１ヒーター３３及び第２ヒーター３４は、加熱部の一例である。本実施形態の支持部３２は、液体を吐出された媒体９９を支持面で支持する。支持部３２の支持面は、支持部３２のうち第１ヒーター３３と対向する面である。第１ヒーター３３は、媒体９９のうち液体を吐出された第１面から媒体９９を加熱する。
【００２１】
支持部３２は、第２ヒーター３４が取り付けられる第１支持部３６と、搬送される媒体９９の搬送方向に沿って第１支持部３６より下流に位置する第２支持部３７とを備える。本実施形態において、第２支持部３７は、その上流端を含む一部分が第１ヒーター３３と対向するように位置する。なお、本実施形態においては、搬送経路に沿って媒体９９が搬送される方向を、搬送方向とする。
【００２２】
本実施形態の支持部３２は、搬送方向に沿って第１支持部３６より上流に位置する第３支持部３８を有する。第１支持部３６、第２支持部３７及び第３支持部３８は、搬送方向に沿って、第３支持部３８、第１支持部３６、第２支持部３７の順に並ぶ。本実施形態において、第３支持部３８の下流端を含む一部分は、第１ヒーター３３と対向する。第３支持部３８の上流端を含む一部分は、筐体１２内に位置する。
【００２３】
本実施形態において、第１支持部３６、第２支持部３７及び第３支持部３８は、支持面を含む板金を備える。板金は、例えば厚みが約２ｍｍのアルミ材又はＳＵＳ材から構成される。アルミ材は、例えば、ＪＩＳ  Ｈ  ４０００に規定される材料である。これにより、媒体９９での温度の均一性、及び、第２ヒーター３４による媒体９９の加熱の効率を高めることができる。
【００２４】
本実施形態の第１ヒーター３３は、支持部３２に支持されている媒体９９を加熱するヒーター管４１と、ヒーター管４１を収容するケース４２と、ケース４２内で気体を循環させる循環部４３とを備える。ケース４２は、ケース４２の開口が支持部３２の支持面に向けている。
【００２５】
ヒーター管４１は、媒体９９に接触する面である支持部３２の支持面に対向する。ヒーター管４１は、媒体９９の幅方向に長尺である。ヒーター管４１は、支持部３２に支持される媒体９９を加熱する。これにより、液体を吐出された媒体９９が乾燥する。
【００２６】
本実施形態の第１ヒーター３３は、２つのヒーター管４１を有する。２つのヒーター管４１は、延在する方向を相互に平行とした姿勢を有する。２つのヒーター管４１の延在する方向は、支持部３２の支持面と平行である。
【００２７】
循環部４３は、気体が流れる循環路４４と、循環路４４に位置するファン４５とを備える。循環路４４は、気体を取り込む吸気口４６と、気体を送り出す送風口４７とを繋ぐ流路である。循環路４４は、ヒーター管４１を囲むように延びる。吸気口４６は、第２支持部３７と対向している。送風口４７は、第３支持部３８と対向している。循環部４３は、第１ヒーター３３及び第２ヒーター３４により加熱された気体をケース４２内で循環させる。これにより、液体を吐出された媒体９９で、乾燥が促進する。
【００２８】
媒体加熱装置３１は、第１ヒーター３３が出力した熱を支持部３２に向けて反射する反射板４８を有してもよい。これにより、液体を吐出された媒体９９に第１ヒーター３３が出力した熱を効果的に伝えることができる。
【００２９】
本実施形態の第２ヒーター３４は、シート状の発熱体である。第２ヒーター３４は、第１支持部３６の裏面に取り付けられている。第２ヒーター３４が出力する熱は、第１支持部３６を通して媒体９９に伝わる。これにより、液体を吐出された媒体９９が第２面から加熱される。
【００３０】
媒体加熱装置３１は、支持部３２の支持面上で搬送される媒体９９に、第１ヒーター３３のピーク位置１０１を定める。第１ヒーター３３のピーク位置１０１は、第１ヒーター３３が駆動されて、かつ、第２ヒーター３４が駆動されない状態で、媒体９９のうち最も高温になる位置である。
【００３１】
第１ヒーター３３のピーク位置１０１は、第１ヒーター３３と対向している。媒体９９の一部分である対象部分での温度は、第１ヒーター３３が駆動されて、かつ、第２ヒーター３４が駆動されない状態で、対象部分が支持面上に搬入されてから、第１ヒーター３３のピーク位置１０１に到達するまで上昇する。
【００３２】
第１ヒーター３３のピーク位置１０１は、例えば、表面に温度センサーを備えた乾燥した媒体９９を一定の速度で搬送することにより特定される。すなわち、第１ヒーター３３のピーク位置１０１は、媒体９９に備えられた温度センサーの検出した温度に基づいて特定される。本実施形態においては、媒体９９を最も低い速度で搬送したときの温度センサーの検出した温度に基づいて第１ヒーター３３のピーク位置１０１は特定される。
【００３３】
媒体加熱装置３１は、第１支持部３６の温度を検出する検出器３５を備える。検出器３５は、例えば、サーミスタなどの接触式の温度センサー、あるいは、赤外温度センサーなどの非接触式の温度センサーである。検出器３５は、検出第１支持部３６の温度を電気信号に変換する。検出器３５は、第１支持部３６の裏面のうち第２ヒーター３４が取り付けられていない範囲を検出位置とする。
【００３４】
図２に示すように、媒体加熱装置３１は、制御部５０を備える。制御部５０は、検出器３５により検出される温度に基づき、第１ヒーター３３及び第２ヒーター３４の出力を制御する。すなわち、制御部５０は、媒体９９を乾燥する最も低い温度以上、かつ、媒体９９が熱によるダメージを受けない温度以下の設定範囲を記憶する。そして、制御部５０は、検出器３５により検出される温度が設定範囲内の所定値になるように、第１ヒーター３３及び第２ヒーター３４の出力を制御する。
【００３５】
次に、支持部３２について説明する。
図３に示すように、第１支持部３６は、媒体９９の搬送方向Ｙに沿って、第２支持部３７と第３支持部３８とに挟まれている。第１支持部３６は、支持面としての第１表面３６Ｓを備える。第１支持部３６は、第１表面３６Ｓを含む第１板金３６Ｐを備える。
【００３６】
第１板金３６Ｐは、媒体９９の搬送方向Ｙ、及び、搬送方向Ｙと直交する幅方向Ｘに沿って広がる。第１板金３６Ｐは、幅方向Ｘに延在する一枚の帯状を有する。第１板金３６Ｐは、搬送方向Ｙの端部３６Ｌを第１表面３６Ｓとは反対側に向けて曲げられている。
【００３７】
第２支持部３７もまた、幅方向Ｘに延在する一枚の帯状を有した第２板金３７Ｐを含む。第２板金３７Ｐもまた、搬送方向Ｙの端部３７Ｌを第１表面３６Ｓとは反対側に向けて曲げられている。第３支持部３８もまた、幅方向Ｘに延在する一枚の帯状を有した第３板金３８Ｐを含む。第３板金３８Ｐもまた、搬送方向Ｙの端部３８Ｌを第１表面３６Ｓとは反対側に向けて曲げられている。
【００３８】
第１板金３６Ｐは、第１板金３６Ｐでの下流側の端部３６Ｌと、第２板金３７Ｐでの上流側の端部３７Ｌとを当接させるように、第１表面３６Ｓとは反対側で、複数の固定部６２にボルト６３で固定されている。また、第１板金３６Ｐは、第１板金３６Ｐでの上流側の端部３６Ｌと、第３板金３８Ｐでの下流側の端部３８Ｌとを当接させるように、複数の固定部６２にボルト６３で固定されている。
【００３９】
第１板金３６Ｐは、ボルト６３を挿通させる第１凹部３６Ｆを備える。第１凹部３６Ｆは、ボルト６３の軸部を挿通させる貫通孔を有して、ボルト６３の頭部を収容する。第２板金３７Ｐもまた、ボルト６３を挿通させる第２凹部３７Ｆを備える。第２凹部３７Ｆは、第１凹部３６Ｆと同じく、ボルト６３の軸部を挿通させる貫通孔を有して、ボルト６３の頭部を収容する。
【００４０】
本実施形態において、幅方向Ｘに間隔を空けて並ぶ複数の固定部６２は、１行の固定部６２である。１行の固定部６２では、各固定部６２の搬送方向Ｙでの位置が、他の固定部６２の搬送方向Ｙでの位置と同じである。１行の固定部６２は、４個の固定部６２から構成されている。そして、第１板金３６Ｐは、搬送方向Ｙに間隔を空けて並ぶ２行の固定部６２に固定されている。
【００４１】
言い換えれば、搬送方向Ｙに間隔を空けて並ぶ複数の固定部６２は、１列の固定部６２である。１列の固定部６２では、各固定部６２の幅方向Ｘでの位置が、他の固定部６２の幅方向Ｘでの位置と同じである。１列の固定部６２は、２個の固定部６２から構成されている。そして、第１板金３６Ｐは、幅方向Ｘに等間隔を空けて並ぶ４列の固定部６２に固定されている。
【００４２】
第２ヒーター３４は、第１支持部３６の幅方向Ｘのほぼ全体にわたり幅方向Ｘに延在している。第１支持部３６の裏面には、搬送方向Ｙに並ぶ２つの第２ヒーター３４が取り付けられている。第１板金３６Ｐを固定する２行の固定部６２は、２つの第２ヒーター３４を搬送方向Ｙで挟むように、第１表面３６Ｓとは反対側に位置している。
【００４３】
検出器３５が温度を検出する対象位置である検出位置は、２つの第２ヒーター３４の間隙である。検出器３５の検出位置は、幅方向Ｘにおいて、相互に隣り合う固定部６２の間である。幅方向Ｘで相互に隣り合う固定部６２の一方は、第１固定部の一例であり、幅方向Ｘで相互に隣り合う固定部６２の他方は、第１固定部の隣に位置する第２固定部の一例である。検出器３５の検出位置は、幅方向Ｘにおいて、第１固定部及び第２固定部のいずれよりも、幅方向Ｘにおける第１固定部と第２固定部との中点に近い位置に設定されている。なお、本実施形態における、中点に近い位置、とは中点も含む。
【００４４】
検出器３５の検出位置は、搬送方向Ｙにおいても、相互に隣り合う固定部６２の間である。搬送方向Ｙで相互に隣り合う固定部６２の一方は、第１固定部の一例であり、搬送方向Ｙで相互に隣り合う固定部６２の他方は、第１固定部の隣に位置する第３固定部の一例である。検出器３５の検出位置は、搬送方向Ｙにおいて、第１固定部及び第３固定部のいずれよりも、搬送方向Ｙにおける第１固定部と第３固定部との中点に近い位置に設定されている。
【００４５】
第２板金３７Ｐは、幅方向Ｘに等間隔を空けて並ぶ複数の固定部６２に固定されている。本実施形態において、第２支持部３７の板金は、１行の固定部６２に固定されている。
支持部３２は、幅方向Ｘで１組のサイドフレーム６１を備える。第１板金３６Ｐを固定する複数の固定部６２、及び、第２板金３７Ｐを固定する複数の固定部６２は、１組のサイドフレーム６１に架設された支持フレームに固定されている。
【００４６】
媒体加熱装置３１は、媒体９９に入力する熱量と、媒体９９を加熱する時間と、によって、液体を吐出された媒体９９の乾燥具合を定める。媒体９９を素早く乾燥するためには、媒体９９を素早く高温にするとよい。媒体９９を素早く高温にするためには、支持部３２の支持面上での温度を上げればよい。しかし、支持面上での温度が設定範囲を上回り、媒体９９の温度が上がりすぎると、媒体９９が熱によるダメージを受けるおそれがある。また、支持面上での温度が設定範囲を下回り、媒体９９の温度が下がりすぎると、媒体９９の乾燥が不十分になるおそれがある。
【００４７】
特に、第１表面３６Ｓとは反対側に向けて曲げられた端部３６Ｌを有した第１板金３６Ｐでは、幅方向Ｘにおける第１固定部と第２固定部との間の一部分が、第１板金３６Ｐの熱膨張により媒体に向けて突出しやすい。また、搬送方向Ｙにおける第１固定部と第３固定部との間の一部分も、第１板金３６Ｐの熱膨張により媒体に向けて突出しやすい。そして、第１板金３６Ｐに熱膨張による変形が生じると、第１表面３６Ｓの一部分と媒体９９との間に隙間が生じ、第１表面３６Ｓと媒体９９との間の距離にばらつきが生じる。第１表面３６Ｓと媒体９９との間の距離のばらつきは、第１板金３６Ｐでの温度のばらつきを招来させて、第１板金３６Ｐの温度を用いた第１ヒーター３３及び第２ヒーター３４の駆動量に誤差を生じさせるおそれがある。
【００４８】
図４に示すように、第１板金３６Ｐに熱膨張による変形が生じると、搬送方向Ｙにおいて、第１表面３６Ｓの一部分と媒体９９との間に隙間が生じ、第１表面３６Ｓと媒体９９との間の距離にばらつきが生じる。第１板金３６Ｐのうち、媒体９９に最も近い一部分と、媒体９９から最も離れた一部分との間では、媒体９９による吸熱量が異なるため、第１板金３６Ｐでの温度も異なる。
【００４９】
一方で、検出器３５の検出位置は、搬送方向Ｙにおいて、相互に隣り合う固定部６２の間であり、かつ、第１固定部及び第３固定部のいずれよりも、搬送方向Ｙにおける第１固定部と第３固定部との中点に近い。すなわち、検出器３５の検出位置は、搬送方向Ｙにおいて、各固定部６２に固定された位置よりも、媒体９９側に突出する一部分であり、かつ、媒体９９に最も近くなり得る一部分である。
【００５０】
図５に示すように、熱膨張により変形を生じた第１板金３６Ｐは、幅方向Ｘにおいても、第１表面３６Ｓの一部分と媒体９９との間に隙間を形成し、第１表面３６Ｓと媒体９９との間の距離にばらつきを生じさせる。第１板金３６Ｐのうち、媒体９９に最も近い一部分と、媒体９９から最も離れた一部分との間では、媒体９９による吸熱量が異なるため、第１板金３６Ｐでの温度も異なる。
【００５１】
ここでも、検出器３５の検出位置は、幅方向Ｘにおいて、相互に隣り合う固定部６２の間であり、かつ、第１固定部及び第２固定部のいずれよりも、幅方向Ｘにおける第１固定部と第３固定部との中点に近い。すなわち、検出器３５の検出位置は、幅方向Ｘにおいても、各固定部６２に固定された位置よりも、媒体９９側に突出する一部分であり、かつ、媒体９９に最も近くなり得る一部分である。
【００５２】
そのため、検出器３５の検出位置と媒体９９との間の距離は、熱膨張した板金であっても広がりがたい。結果として、検出器３５の検出位置と媒体９９との間の距離のばらつきに起因した誤差が検出器３５の検出結果に含まれることを抑制できる。したがって、媒体９９の温度が上がりすぎることに起因する媒体９９でのダメージを抑制できる。また、媒体９９の温度が下がりすぎることに起因する印刷での品質の低下を抑制できる。
【００５３】
次に、上記実施形態の作用及び効果について説明する。
（１）第１表面３６Ｓとは反対側に向けて曲げられた端部３６Ｌを有する第１板金３６Ｐでは、幅方向Ｘで相互に隣り合う固定部６２の間の一部分が、第１板金３６Ｐの熱膨張により媒体９９に向けて突出しやすい。
【００５４】
この点、幅方向Ｘで相互に隣り合う固定部６２の間、すなわち、媒体９９に向けて突出しやすい部位に、検出器３５の検出位置が設定されているため、検出器３５の検出位置と媒体９９との間の距離は、熱膨張した第１板金３６Ｐであっても広がりがたい。そのため、検出器３５の検出位置と媒体９９との間の距離のばらつきに起因した誤差が検出器３５の検出結果に含まれることを抑制できる。したがって、媒体９９の温度が上がりすぎることに起因する媒体９９でのダメージ、及び、媒体９９の温度が下がりすぎることに起因する不十分な加熱を抑制できる。
【００５５】
（２）また、媒体９９の温度が上がりすぎること、あるいは、媒体９９の温度が下がりすりきることが抑制されるから、液体を吐出された媒体９９の乾燥具合を安定させることができる。
【００５６】
特に、液体を吐出された媒体９９の温度は、液体が吐出されていない媒体９９の温度と比べて低い傾向を有するから、検出器３５が検出する第１支持部３６の温度は、検出器３５の検出位置と媒体９９との間の距離から大きな影響を受けやすい。そのため、上記（１）に準じた効果が、一層に顕著なものとなる。
【００５７】
（３）熱膨張により変形する第１板金３６Ｐでは、幅方向Ｘにおいて、相互に隣り合う固定部６２の間の中点が、媒体９９に向けて最も突出しやすい。この点、検出器３５の検出位置が、幅方向Ｘで相互に隣り合う固定部６２よりも、相互に隣り合う固定部６２の間の中点に近い。そのため、検出器３５の検出位置と媒体９９との間の距離が、さらに広がりがたくなる。結果として、媒体９９でのダメージ及び不十分な加熱をさらに抑制できる。
【００５８】
（４）第１表面３６Ｓとは反対側に向けて曲げられた端部３６Ｌを有する第１板金３６Ｐでは、搬送方向Ｙで相互に隣り合う固定部６２の間の一部分も、第１板金３６Ｐの熱膨張により媒体９９に向けて突出しやすい。この点、搬送方向Ｙで相互に隣り合う固定部６２の間、すなわち、媒体９９に向けて突出しやすい部位に、検出器３５の検出位置が設定されている。そのため、上記（１）に記載の作用と相まって、検出器３５の検出位置と媒体９９との間の距離は、熱膨張した第１板金３６Ｐであってもさらに広がりがたい。したがって、媒体９９の温度が上がりすぎることに起因する媒体９９でのダメージ、及び、媒体９９の温度が下がりすぎることに起因する不十分な加熱をさらに抑制できる。
【００５９】
（５）熱膨張により変形する第１板金３６Ｐでは、搬送方向Ｙにおいて、相互に隣り合う固定部６２の間の中点が、媒体９９に向けて最も突出しやすい。この点、検出器３５の検出位置が、搬送方向Ｙで相互に隣り合う固定部６２よりも、相互に隣り合う固定部６２の間の中点に近い。そのため、検出器３５の検出位置と媒体９９との間の距離が、一層に広がりがたくなる。結果として、媒体９９でのダメージ及び不十分な加熱を一層に抑制できる。
【００６０】
本実施形態は、以下のように変更して実施することができる。本実施形態及び以下の変更例は、技術的に矛盾しない範囲で互いに組み合わせて実施することができる。
・第１板金３６Ｐは、第２板金３７Ｐと同じく、１行の固定部６２、あるいは、３行以上の固定部６２により固定されてもよい。また、第１板金３６Ｐは、２列又は３列の固定部６２、あるいは、５列以上の固定部６２により固定されてもよい。
【００６１】
いずれの変更例であっても、検出器３５の検出位置が幅方向Ｘで相互に隣り合う固定部６２の間に設定される構成であれば、上記（１）（２）に準じた効果が得られる。加えて、検出器３５の検出位置が搬送方向Ｙで相互に隣り合う固定部６２の間に設定される構成であれば、上記（４）に準じた効果が得られる。
【００６２】
・検出器３５の検出位置は、幅方向Ｘで相互に隣り合う固定部６２の間であり、かつ、搬送方向Ｙでは、搬送方向Ｙで相互に隣り合う固定部６２の間の中点よりも固定部６２に近い位置に変更可能である。この変更例であっても、検出器３５の検出位置が幅方向Ｘで相互に隣り合う固定部６２の間に設定されるから、上記（１）（２）に準じた効果は得られる。
【００６３】
・媒体９９は、ロール体１００から繰り出される長尺紙に限らず、単票紙でもよい。媒体９９は、用紙に限らず、布帛でもよい。
・吐出部２８が吐出する液体はインクに限らず、例えば機能材料の粒子が液体に分散又は混合されてなる液状体などでもよい。例えば、吐出部２８が液晶ディスプレイ、エレクトロルミネッセンスディスプレイ及び面発光ディスプレイの製造などに用いられる電極材画素材料などの材料を分散又は溶解のかたちで含む液状体を吐出してもよい。
【００６４】
以下に、上述した実施形態及び変更例から把握される技術的思想及びその作用効果を記載する。
媒体加熱装置は、支持面を有し、搬送される媒体を支持する支持部と、前記支持部に支持された前記媒体を加熱する加熱部と、前記支持部の温度を検出する検出器と、前記検出器により検出される温度に基づき、前記加熱部の出力を制御する制御部と、を備え、前記支持部は、前記支持面としての第１表面を有する板金を含み、前記板金の端部は、前記第１表面とは反対側に向けて曲げられており、前記板金は、第１固定部と、幅方向において前記第１固定部の隣の第２固定部と、により固定され、前記幅方向において、前記第１固定部と前記第２固定部との間に前記検出器の検出位置が設定される。
【００６５】
液体吐出装置は、支持面を有し、搬送される媒体を支持する支持部と、前記支持部に支持された前記媒体を加熱する加熱部と、前記支持部の温度を検出する検出器と、前記検出器により検出される温度に基づき、前記加熱部の出力を制御する制御部と、を備え、前記支持部は、前記支持面としての第１表面を有する板金を含み、前記板金の端部は、前記第１表面とは反対側に向けて曲がり、前記板金は、第１固定部と、幅方向において前記第１固定部の隣の第２固定部と、により固定され、前記幅方向において、前記第１固定部と前記第２固定部との間に前記検出器の検出位置が設定される。
【００６６】
第１表面とは反対側に向けて曲げられた端部を有する板金では、幅方向における第１固定部と第２固定部との間の一部分が、板金の熱膨張により媒体に向けて突出しやすい。上記構成によれば、第１固定部と第２固定部との間、すなわち、媒体に向けて突出しやすい部位に、検出器の検出位置が設定されているため、検出器の検出位置と媒体との間の距離は、熱膨張した板金であっても広がりがたい。そのため、検出器の検出位置と媒体との間の距離のばらつきに起因した誤差が検出器の検出結果に含まれることを抑制できる。したがって、媒体の温度が上がりすぎることに起因する媒体でのダメージ、及び、媒体の温度が下がりすぎることに起因する不十分な加熱を抑制できる。
【００６７】
上記媒体加熱装置において、前記媒体は、液体を吐出された媒体であってもよい。
この構成によれば、媒体の温度が上がりすぎること、あるいは、媒体の温度が下がりすりきることが抑制されるから、液体を吐出された媒体の乾燥具合を安定させることができる。
【００６８】
特に、液体を吐出された媒体の温度は、液体が吐出されていない媒体の温度と比べて低い傾向を有するから、検出器が検出する支持部の温度は、検出器の検出位置と媒体との間の距離から大きな影響を受けやすい。そのため、媒体でのダメージを抑制できる効果、及び、印刷での品質の低下を抑制できる効果が、一層に顕著なものとなる。
【００６９】
上記媒体加熱装置において、前記幅方向では、前記検出器の検出位置は、前記第１固定部及び前記第２固定部のいずれよりも、前記幅方向における前記第１固定部と前記第２固定部との中点に近い位置に設定されてもよい。
【００７０】
熱膨張により変形する板金では、幅方向における第１固定部と第２固定部との中点が、媒体に向けて最も突出しやすい。この点、上記構成によれば、検出器の検出位置が、幅方向において、第１固定部及び第２固定部よりも、第１固定部と第２固定部との中点に近い。そのため、検出器の検出位置と媒体との間の距離が、さらに広がりがたくなる。結果として、媒体でのダメージ及び不十分な加熱をさらに抑制できる。
【００７１】
上記媒体加熱装置において、前記媒体の搬送方向では、前記第１固定部と前記第２固定部とは同じ位置にあり、前記板金は、前記搬送方向において前記第１固定部の隣にある第３固定部により固定され、前記搬送方向において、前記第１固定部と前記第３固定部との間に前記検出器の検出位置が設定されてもよい。
【００７２】
第１表面とは反対側に向けて曲げられた端部を有する板金では、搬送方向における第１固定部と第３固定部との間の一部分が、板金の熱膨張により媒体に向けて突出しやすい。この点、上記構成によれば、第１固定部と第３固定部との間に検出器の検出位置が設定されているため、第１表面に支持される媒体と、第１表面との距離が検出位置でさらに安定する。結果として、媒体でのダメージ及び不十分な加熱をさらに抑制できる。
【００７３】
上記媒体加熱装置において、前記搬送方向では、前記検出器の検出位置は、前記第１固定部及び前記第３固定部のいずれよりも、前記搬送方向における前記第１固定部と前記第３固定部との中点に近い位置に設定されてもよい。
【００７４】
熱膨張により変形する板金では、搬送方向における第１固定部と第３固定部との中点が、媒体に向けて最も突出しやすい。この点、上記構成によれば、検出器の検出位置が、搬送方向において、第１固定部及び第３固定部よりも、第１固定部と第３固定部との中点に近い。そのため、検出器の検出位置と媒体との間の距離が、一層に広がりがたくなる。結果として、媒体でのダメージを一層に抑制できる。
【００７５】
上記媒体加熱装置は、支持面を有し、媒体を支持する支持部と、前記支持部に支持された前記媒体を加熱する加熱部と、前記支持部の温度を検出する検出器と、前記検出器により検出される温度に基づき、前記加熱部の出力を制御する制御部と、を備え、前記支持部は、前記支持面としての第１表面を有する板金を含み、前記板金は、第１固定部に固定され、前記検出器は、前記板金のうち、前記第１固定部に固定される部分より、前記支持部に支持される前記媒体側に突出する部分の温度を検出する。
【００７６】
加熱部が出力した熱を受ける板金は、板金の熱膨張により変形し、第１表面の一部分が第１固定部より媒体に向けて突出する。この点、上記構成によれば、第１固定部よりも媒体側に突出する一部分の温度を検出器が検出するため、検出器の検出位置と媒体との距離は、第１固定部と媒体との距離より短くなる。そのため、検出器の検出位置と媒体との間の距離が拡大することに起因した誤差が検出器の検出結果に含まれることを抑制できる。したがって、媒体の温度が上がりすぎることに起因する媒体でのダメージを抑制できる。
【符号の説明】
【００７７】
１１…液体吐出装置、１２…筐体、１３…基台、１４…搬送部、１６…載置部、１７…巻取部、１８…テンションバー、２１…第１支持台、２２…第２支持台、２５…第１ローラー、２６…第２ローラー、２８…吐出部、２９…キャリッジ、３１…媒体加熱装置、３２…支持部、３３…第１ヒーター、３４…第２ヒーター、３５…検出器、３６…第１支持部、３６Ｆ…第１凹部、３６Ｐ…第１板金、３６Ｓ…第１表面、３７…第２支持部、３７Ｐ…第２板金、３７Ｆ…第２凹部、３８…第３支持部、３８Ｐ…第３板金、４１…ヒーター管、４２…ケース、４３…循環部、４４…循環路、４５…ファン、４６…吸気口、４７…送風口、４８…反射板、５０…制御部、６１…サイドフレーム、６２…固定部、６３…ボルト、９９…媒体、１００…ロール体、１０１…ピーク位置。
【図１】
2020121499.tif 000003
【図２】
2020121499.tif 000004
【図３】
2020121499.tif 000005
【図４】
2020121499.tif 000006
【図５】
2020121499.tif 000007